(57)【要約】【課題】血管を、容易、迅速かつ確実に、目標（希望）の長さに切開することができる血管切開器具を提供する。【解決手段】血管切開器具１は、上端側が互いに接合された一対の柄２１、２２を有している。柄２１の下端部には、鋭利な針先３１１を備え、血管に穿刺する第１の針状部３１と、第１の針状部３１の基端側に設けられ、血管を切開する刃部３２とで構成された穿刺切開部材３が接合されている。柄２２の下端部には、第１の針状部３１の針先３１１に対し、所定距離離間して対向する鋭利な針先３３１を備え、血管に穿刺する第２の針状部３３が接合されている。柄２２の柄２１側には、当接部４１およびボルト４２が設けられている。柄２１のボルト４２に対応する位置には、貫通孔２１１が形成されており、ボルト４２には、この貫通孔２１１を貫通した状態で、ナット４３が螺合している。【選択図】図１
2004057609.tif 000002
【特許請求の範囲】
【請求項１】
血管を切開する血管切開器具であって、
鋭利な針先を備え、血管に穿刺する第１の針状部と、前記第１の針状部の針先に対し、所定距離離間して対向する鋭利な針先を備え、血管に穿刺する第２の針状部と、前記第１の針状部と前記第２の針状部との少なくとも一方の基端側に設けられ、血管を切開する刃部とを有し、前記第１の針状部と前記第２の針状部との一方が他方に対して相対的に移動し得る穿刺切開手段と、
前記第１の針状部と前記第２の針状部との針先同士が接近する方向に、前記第１の針状部と前記第２の針状部との少なくとも一方が移動するように操作する操作手段とを備え、
前記第１の針状部の針先と前記第２の針状部の針先との間の距離が、ほぼ前記刃部による血管の切開長となるよう構成されていることを特徴とする血管切開器具。
【請求項２】
前記第１の針状部の針先と前記第２の針状部の針先とが離間する方向に、前記穿刺切開手段の所定部を付勢する付勢手段を有する請求項１に記載の血管切開器具。
【請求項３】
前記第１の針状部と前記第２の針状部とが最も接近した最接近状態を規制する最接近状態規制手段を有する請求項１または２に記載の血管切開器具。
【請求項４】
前記第１の針状部と前記第２の針状部とが最も離間した最離間状態を規制する最離間状態規制手段を有する請求項１ないし３のいずれかに記載の血管切開器具。
【請求項５】
最離間状態規制手段は、前記最離間状態を変更して、前記第１の針状部の針先と前記第２の針状部の針先との間の最大距離を調節する切開長調節機構を有する請求項４に記載の血管切開器具。
【請求項６】
前記第１の針状部の針先と前記第２の針状部の針先との間の最大距離を調節する切開長調節機構を有する請求項１ないし３のいずれかに記載の血管切開器具。
【請求項７】
前記第１の針状部と前記第２の針状部とのうちの一方は、その少なくとも先端部に、他方の先端部と係合する溝を有する請求項１ないし６のいずれかに記載の血管切開器具。
【請求項８】
前記第１の針状部と前記第２の針状部とのうちの一方は、その少なくとも先端部に、他方の先端部が挿入される孔部を有する請求項１ないし６のいずれかに記載の血管切開器具。
【請求項９】
前記孔部を有する針状部の先端部には、その先端側に向って傾斜する傾斜面が形成されている請求項８に記載の血管切開器具。
【請求項１０】
前記第１の針状部と前記第２の針状部との少なくとも一方は、少なくとも先端部が下方に向って傾斜している請求項１ないし９のいずれかに記載の血管切開器具。
【請求項１１】
先端側に前記穿刺切開手段が設けられた本体を有する請求項１ないし１０のいずれかに記載の血管切開器具。
【請求項１２】
支点を中心に少なくとも一方が回動し得る一対の支持部材を有し、
前記第１の針状部は、前記一対の支持部材の一方に設けられ、前記第２の針状部は、前記一対の支持部材の他方に設けられる請求項１１に記載の血管切開器具。
【請求項１３】
前記本体に対して少なくとも一方が移動し得る一対の支持部材を有し、
前記第１の針状部は、前記一対の支持部材の一方に設けられ、前記第２の針状部は、前記一対の支持部材の他方に設けられる請求項１１に記載の血管切開器具。
【請求項１４】
前記本体の基端側に、前記操作手段の操作部が設けられている請求項１１ないし１３のいずれかに記載の血管切開器具。
【請求項１５】
前記一対の支持部材の一方は、前記本体に対して固定され、他方は、前記支点を中心に回動し得るように設けられており、
前記操作手段は、前記本体の基端側に移動可能に設けられた操作部と、該操作部と前記回動する支持部材とを連結する連結部材とを有する請求項１２に記載の血管切開器具。
【請求項１６】
前記一対の支持部材の一方は、前記本体に対して固定され、他方は、前記本体に対して移動し得るように設けられており、
前記操作手段は、前記本体の基端側に移動可能に設けられた操作部と、該操作部と前記移動する支持部材とを連結する連結部材とを有する請求項１３に記載の血管切開器具。
【請求項１７】
前記本体の少なくとも一部は、変形可能であり、かつ、その変形した形状を保持し得る構造を有する請求項１１ないし１６のいずれかに記載の血管切開器具。
【請求項１８】
前記針状部と前記刃部とが一体化している請求項１ないし１７のいずれかに記載の血管切開器具。
【請求項１９】
前記針状部と前記刃部の刃とのなす角は、１８０°以下である請求項１ないし１８のいずれかに記載の血管切開器具。
【請求項２０】
前記針状部は、前記穿刺切開手段の所定部に着脱自在に設けられる請求項１ないし１９のいずれかに記載の血管切開器具。
【発明の詳細な説明】
【０００１】
【発明の属する技術分野】
本発明は、血管を切開する血管切開器具に関するものである。
【０００２】
【従来の技術】
従来、血管の切開には、メスや剪刀が用いられている。
【０００３】
例えば、冠状動脈バイパス手術等の血管吻合手技において、例えば内胸動脈と左冠状動脈を端側吻合する場合には、まず、左冠状動脈部を切開し、その後、前記切開部と内胸動脈端部との吻合を行なう。このような場合、前記切開は、メスや剪刀で行われ、手技は医師の手腕に依存し、目標の切開長を得るには数回に渡り前記メスや剪刀を使用する。すなわち、小切開からそれを徐々に広げることにより必要な切開長を得る。
【０００４】
しかしながら、メスや剪刀で血管を切開すると、目標の切開長を得るためには、慎重に切開を行わなければならず、また、その切開に要する時間も長くかかる。
【０００５】
また、時間をかけて慎重に切開したとしても、目標の切開長が得られないこともあり、正確性に欠ける。特に、心拍動下で目標の切開長を得るのは非常に難しい。
【０００６】
【発明が解決しようとする課題】
本発明の目的は、血管を、容易、迅速かつ確実に、目標（希望）の長さに切開することができる血管切開器具を提供することにある。
【０００７】
【課題を解決するための手段】
このような目的は、下記（１）〜（２０）の本発明により達成される。
【０００８】
（１）　血管を切開する血管切開器具であって、
鋭利な針先を備え、血管に穿刺する第１の針状部と、前記第１の針状部の針先に対し、所定距離離間して対向する鋭利な針先を備え、血管に穿刺する第２の針状部と、前記第１の針状部と前記第２の針状部との少なくとも一方の基端側に設けられ、血管を切開する刃部とを有し、前記第１の針状部と前記第２の針状部との一方が他方に対して相対的に移動し得る穿刺切開手段と、
前記第１の針状部と前記第２の針状部との針先同士が接近する方向に、前記第１の針状部と前記第２の針状部との少なくとも一方が移動するように操作する操作手段とを備え、
前記第１の針状部の針先と前記第２の針状部の針先との間の距離が、ほぼ前記刃部による血管の切開長となるよう構成されていることを特徴とする血管切開器具。
【０００９】
（２）　前記第１の針状部の針先と前記第２の針状部の針先とが離間する方向に、前記穿刺切開手段の所定部を付勢する付勢手段を有する上記（１）に記載の血管切開器具。
【００１０】
（３）　前記第１の針状部と前記第２の針状部とが最も接近した最接近状態を規制する最接近状態規制手段を有する上記（１）または（２）に記載の血管切開器具。
【００１１】
（４）　前記第１の針状部と前記第２の針状部とが最も離間した最離間状態を規制する最離間状態規制手段を有する上記（１）ないし（３）のいずれかに記載の血管切開器具。
【００１２】
（５）　最離間状態規制手段は、前記最離間状態を変更して、前記第１の針状部の針先と前記第２の針状部の針先との間の最大距離を調節する切開長調節機構を有する上記（４）に記載の血管切開器具。
【００１３】
（６）　前記第１の針状部の針先と前記第２の針状部の針先との間の最大距離を調節する切開長調節機構を有する上記（１）ないし（３）のいずれかに記載の血管切開器具。
【００１４】
（７）　前記第１の針状部と前記第２の針状部とのうちの一方は、その少なくとも先端部に、他方の先端部と係合する溝を有する上記（１）ないし（６）のいずれかに記載の血管切開器具。
【００１５】
（８）　前記第１の針状部と前記第２の針状部とのうちの一方は、その少なくとも先端部に、他方の先端部が挿入される孔部を有する上記（１）ないし（６）のいずれかに記載の血管切開器具。
【００１６】
（９）　前記孔部を有する針状部の先端部には、その先端側に向って傾斜する傾斜面が形成されている上記（８）に記載の血管切開器具。
【００１７】
（１０）　前記第１の針状部と前記第２の針状部との少なくとも一方は、少なくとも先端部が下方に向って傾斜している上記（１）ないし（９）のいずれかに記載の血管切開器具。
【００１８】
（１１）　先端側に前記穿刺切開手段が設けられた本体を有する上記（１）ないし（１０）のいずれかに記載の血管切開器具。
【００１９】
（１２）　支点を中心に少なくとも一方が回動し得る一対の支持部材を有し、前記第１の針状部は、前記一対の支持部材の一方に設けられ、前記第２の針状部は、前記一対の支持部材の他方に設けられる上記（１１）に記載の血管切開器具。
【００２０】
（１３）　前記本体に対して少なくとも一方が移動し得る一対の支持部材を有し、
前記第１の針状部は、前記一対の支持部材の一方に設けられ、前記第２の針状部は、前記一対の支持部材の他方に設けられる上記（１１）に記載の血管切開器具。
【００２１】
（１４）　前記本体の基端側に、前記操作手段の操作部が設けられている上記（１１）ないし（１３）のいずれかに記載の血管切開器具。
【００２２】
（１５）　前記一対の支持部材の一方は、前記本体に対して固定され、他方は、前記支点を中心に回動し得るように設けられており、
前記操作手段は、前記本体の基端側に移動可能に設けられた操作部と、該操作部と前記回動する支持部材とを連結する連結部材とを有する上記（１２）に記載の血管切開器具。
【００２３】
（１６）　前記一対の支持部材の一方は、前記本体に対して固定され、他方は、前記本体に対して移動し得るように設けられており、
前記操作手段は、前記本体の基端側に移動可能に設けられた操作部と、該操作部と前記移動する支持部材とを連結する連結部材とを有する上記（１３）に記載の血管切開器具。
【００２４】
（１７）　前記本体の少なくとも一部は、変形可能であり、かつ、その変形した形状を保持し得る構造を有する上記（１１）ないし（１６）のいずれかに記載の血管切開器具。
【００２５】
（１８）　前記針状部と前記刃部とが一体化している上記（１）ないし（１７）のいずれかに記載の血管切開器具。
【００２６】
（１９）　前記針状部と前記刃部の刃とのなす角は、１８０°以下である上記（１）ないし（１８）のいずれかに記載の血管切開器具。
【００２７】
（２０）　前記針状部は、前記穿刺切開手段の所定部に着脱自在に設けられる上記（１）ないし（１９）のいずれかに記載の血管切開器具。
【００２８】
【発明の実施の形態】
以下、本発明の血管切開器具を添付図面に示す好適実施形態に基づいて詳細に説明する。
【００２９】
図１は、本発明の血管切開器具の第１実施形態を示す断面図、図２は、図１に示す血管切開器具の側面図（図１中右側から見た図）、図３は、図１に示す血管切開器具の下端側の正面図、図４は、図１に示す血管切開器具を示す断面図である。
【００３０】
なお、図１、図３および図４中、下側を「下端」または「下」、上側を「上端」または「上」として説明する。
【００３１】
これらの図に示す血管切開器具１は、血管を切開するための器具であり、上端側が互いに接合（固着）された一対の柄２１、２２を有している。
【００３２】
この一対の柄２１、２２は、弾性を有しており、柄２１の下端部と柄２２の下端部とが離間・接近し得るようになっている。これにより、後述する第１の針状部３１と第２の針状部３３との一方が他方に対して相対的に移動、すなわち、第１の針状部３１の針先３１１と第２の針状部３３の針先３３１とが離間・接近（または接触）する。
【００３３】
また、一対の柄２１、２２は、その弾性力（復元力）により、柄２１の下端部と柄２２の下端部とが離間する方向（第１の針状部３１の針先３１１と第２の針状部３３の針先３３１とが離間する方向）に付勢されている。
【００３４】
使用者（操作者）は、この一対の柄２１、２２を手指で把持、操作して血管切開器具１を使用する。
【００３５】
なお、この一対の柄２１、２２により、付勢手段および操作手段が構成される。
【００３６】
柄２１の下端部には、血管に穿刺する第１の針状部３１と、第１の針状部３１の基端側に設けられ、血管を切開する刃部３２とで構成された穿刺切開部材３が接合されている。
図３に示すように、第１の針状部３１は、鋭利な針先（先端）３１１を備えている。
【００３７】
また、刃部３２は、略三角形をなしており、その上側に刃３２１が形成されている。
【００３８】
また、柄２２の下端部には、第１の針状部３１の針先３１１に対し、所定距離離間して対向する鋭利な針先（先端）３３１を備え、血管に穿刺する第２の針状部（第２の針状部材）３３が接合されている。
【００３９】
これら穿刺切開部材３および第２の針状部３３により、穿刺切開手段の主要部が構成される。
【００４０】
前記第１の針状部３１と刃部３２の境界部の近傍における、第１の針状部３１と刃部３２の刃３２１とのなす角（角度）θは、特に限定されないが、１８０°以下であるのが好ましく、１２０〜１８０°程度であるのがより好ましい。
【００４１】
前記角度θを１８０°以下にすることにより、血管の切開をより容易に行うことができる。
【００４２】
また、針状部３１、３３および刃部３２の長さは、それぞれ、特に限定されず、例えば、血管の切開長等の諸条件に応じて適宜設定される。
【００４３】
なお、本発明では、穿刺切開部材３（第１の針状部３１、刃部３２）や第２の針状部３３が、柄２１や柄２２に対して着脱自在に設けられていてもよい。すなわち、穿刺切開部材３や第２の針状部３３が交換可能になっていてもよい。
【００４４】
図１に示すように、柄２２の柄２１側には、当接部（最接近状態規制手段）４１およびボルト（ボルトのネジの部分）４２が、それぞれ設けられている。
【００４５】
また、柄２１のボルト４２に対応する位置には、貫通孔２１１が形成されており、ボルト４２は、この貫通孔２１１を貫通している。そして、ボルト４２には、柄２１の図１中右側からナット４３が螺合している。
【００４６】
前述したように、一対の柄２１、２２は、その弾性力により、柄２１の下端部と柄２２の下端部とが離間する方向に付勢され、柄２１がナット４３に当接し、これにより、第１の針状部３１と第２の針状部３３とが最も離間した最離間状態に保持されている。
【００４７】
この最離間状態のときの第１の針状部３１の針先３１１と第２の針状部３３の針先３３１との間の距離が、その最大距離であり、ほぼ刃部３２による血管の切開長となる。
【００４８】
また、ナット４３を回転操作すると、そのナット４３は、図１中左右方向に移動し、これにより、前記最離間状態が変更され、第１の針状部３１の針先３１１と第２の針状部３３の針先３３１との間の最大距離が変更される。
【００４９】
この場合、ナット４３を図１中左側に移動させると、前記最大距離が小さくなり、切開長が小さくなる。逆に、ナット４３を図１中右側に移動させると、前記最大距離が大きくなり、切開長が大きくなる。
【００５０】
従って、前記ボルト４２およびナット４３により、第１の針状部３１と第２の針状部３３とが最も離間した最離間状態を規制する最離間状態規制手段と、第１の針状部３１の針先３１１と第２の針状部３３の針先３３１との間の最大距離を調節する切開長調節機構とが構成される。
【００５１】
また、図４に示すように、一対の柄２１、２２を挟むように操作すると、第１の針状部３１の針先３１１と第２の針状部３３の針先３３１とが接近する方向に、穿刺切開部材３（第１の針状部３１、刃部３２）と第２の針状部３３とが移動する。そして、柄２１が当接部４１に当接し、これにより、第１の針状部３１と第２の針状部３３とが最も接近した最接近状態となる。
【００５２】
この場合、本実施形態では、前記最接近状態のとき、第１の針状部３１の針先３１１と第２の針状部３３の針先３３１とが丁度接触するか、または、第１の針状部３１の針先３１１と第２の針状部３３の針先３３１との間の距離が微小になるように設定されている。
【００５３】
前記当接部４１により、第１の針状部３１の針先３１１および第２の針状部３３の針先３３１の破損を防止することができる。
【００５４】
また、前記最接近状態のとき、第１の針状部３１の針先３１１と第２の針状部３３の針先３３１とが丁度接触するか、または、第１の針状部３１の針先３１１と第２の針状部３３の針先３３１との間の距離が微小になるように設定することにより、刃部３２で血管を切開する際、その操作を円滑かつ確実に行うことができる。
【００５５】
第１の針状部３１および第２の針状部３３の構成材料としては、例えば、ステンレス鋼、チタン、鋼、鉄等の各種金属または合金や、各種セラミックス等が挙げられる。
【００５６】
また、刃部３２の構成材料としては、例えば、ステンレス鋼、チタン、鋼、鉄等の各種金属または合金や、各種セラミックス等が挙げられる。
【００５７】
また、一対の柄２１、２２の構成材料としては、例えば、ステンレス鋼、チタン、鋼、鉄等の各種金属または合金等や、ポリプロピレン、ポリエチレン、ポリカーボネート、ナイロン樹脂等の各種合成樹脂等が挙げられる。
【００５８】
本実施形態では、前記第１の針状部３１と刃部３２とは、一体化されている。この場合、第１の針状部３１と刃部３２とを、一体的に成形してもよく、また、第１の針状部３１と刃部３２とを別々に成形した後、それらを接合してもよい。
【００５９】
なお、刃部は、本実施形態では、第１の針状部３１側に設けられているが、本発明では、第２の針状部３３側に設けられていてもよい。
【００６０】
また、本実施形態では、穿刺切開部材３（第１の針状部３１、刃部３２）や第２の針状部３３が、柄２１や柄２２に固定的に設置されているが、本発明では、穿刺切開部材３（第１の針状部３１、刃部３２）や第２の針状部３３が、柄２１や柄２２に対して着脱自在に装着されるよう、すなわち、交換可能に構成されているのが好ましい。
【００６１】
この場合には、穿刺切開部材３や第２の針状部３３が破損、損傷、または劣化した場合に、その穿刺切開部材３や第２の針状部３３のみを交換することができ、これにより、血管切開器具１全体を交換する場合に比べ、コストを低減することができる。
【００６２】
また、切開長調節機構を省略したとしても、例えば、第１の針状部３１の長さの異なる複数の穿刺切開部材３や長さの異なる第２の針状部３３を用意し、それらから適宜選択して、穿刺切開部材３や第２の針状部３３を装着することにより、血管の切開長を目標の長さ（希望する長さ）に設定することができる。
【００６３】
また、穿刺切開部材３の第１の針状部３１、刃部３２および第２の針状部３３の形状は、それぞれ、図示のものに限定されない。以下、針状部の他の構成例を説明する。
【００６４】
図８〜図１３は、それぞれ、針状部の他の構成例を示す断面図、図１４および図１５は、それぞれ、針状部の他の構成例を示す側面図である。
【００６５】
図８に示す構成例では、第２の針状部３３の先端部に、第１の針状部３１の先端部と係合する溝３３２が形成されている。
【００６６】
図９に示すように、一対の柄２１、２２を挟むように操作すると、第１の針状部３１の針先３１１と第２の針状部３３の針先３３１とが接近する方向に、穿刺切開部材３と第２の針状部３３とが移動する。そして、第１の針状部３１の先端部が溝３３２に係合するとともに、柄２１が当接部４１に当接し、最接近状態となる。
【００６７】
これにより、容易かつ確実に、第１の針状部３１の針先３１１と第２の針状部３３の針先３３１とを接触させつつ、第１の針状部３１の針先３１１および第２の針状部３３の針先３３１の破損を防止することができる。
【００６８】
なお、図示例では、溝３３２は、第２の針状部３３の長手方向全域に渡って設けられているが、これに限らず、溝３３２は、第２の針状部３３の先端部に設けられていればよい。
【００６９】
また、前記と逆に、第１の針状部３１の先端部に、第２の針状部３３の先端部と係合する溝を形成してもよい。
【００７０】
図１０に示す構成例では、第２の針状部３３に、第１の針状部３１の先端部が挿入される孔部３３３が形成されている。
【００７１】
図１１に示すように、一対の柄２１、２２を挟むように操作すると、第１の針状部３１の針先３１１と第２の針状部３３の針先３３１とが接近する方向に、穿刺切開部材３と第２の針状部３３とが移動する。そして、第１の針状部３１の先端部が孔部３３３に挿入されるとともに、柄２１が当接部４１に当接し、最接近状態となる。
【００７２】
これにより、容易かつ確実に、第１の針状部３１の針先３１１と第２の針状部３３の針先３３１とを接触させつつ、第１の針状部３１の針先３１１および第２の針状部３３の針先３３１の破損を防止することができる。
【００７３】
なお、図示例では、孔部３３３は、第２の針状部３３の長手方向全域に渡って設けられているが、これに限らず、孔部３３３は、第２の針状部３３の先端部に設けられていればよい。
【００７４】
また、前記と逆に、第１の針状部３１の先端部に、第２の針状部３３の先端部が挿入される孔部を形成してもよい。
【００７５】
図１２に示す構成例では、第２の針状部３３に、第１の針状部３１の先端部が挿入される孔部３３３が形成されている。
【００７６】
また、第２の針状部３３の先端部には、その先端側に向って傾斜する傾斜面３３４が形成されている。
【００７７】
図１３に示すように、一対の柄２１、２２を挟むように操作すると、第１の針状部３１の針先３１１と第２の針状部３３の針先３３１とが接近する方向に、穿刺切開部材３と第２の針状部３３とが移動する。そして、第１の針状部３１の先端部が孔部３３３に挿入されるとともに、柄２１が当接部４１に当接し、最接近状態となる。
【００７８】
これにより、容易かつ確実に、第１の針状部３１の針先３１１と第２の針状部３３の針先３３１とを接触させつつ、第１の針状部３１の針先３１１および第２の針状部３３の針先３３１の破損を防止することができる。
【００７９】
なお、図示例では、孔部３３３は、第２の針状部３３の長手方向全域に渡って設けられているが、これに限らず、孔部３３３は、第２の針状部３３の先端部に設けられていればよい。
【００８０】
また、前記と逆に、第１の針状部３１の先端部に、第２の針状部３３の先端部が挿入される孔部および傾斜面を形成してもよい。
【００８１】
図１４に示す構成例では、第１の針状部３１の先端部および第２の針状部３３の先端部が、それぞれ、下方に向って傾斜している。
【００８２】
図１５に示すように、一対の柄２１、２２を挟むように操作すると、第１の針状部３１の針先３１１と第２の針状部３３の針先３３１とが接近する方向に、穿刺切開部材３と第２の針状部３３とが移動し、柄２１が当接部４１に当接し、最接近状態となる。
【００８３】
これにより、第１の針状部３１および第２の針状部３３の血管への穿刺を容易かつ確実に行うことができる。
【００８４】
なお、第１の針状部３１の先端部と第２の針状部３３の先端部とのいずれか一方のみが、下方に向って傾斜していてもよい。
【００８５】
また、針状部の先端部のみでなく、針状部がその長手方向全域に渡って、下方に向って傾斜していてもよい。
【００８６】
また、図８〜図１３に示す前述した各構成例においても、第１の針状部３１の先端部および第２の針状部３３の先端部が、それぞれ、下方に向って傾斜していてもよく、また、第１の針状部３１の先端部と第２の針状部３３の先端部とのいずれか一方のみが、下方に向って傾斜していてもよい。
【００８７】
そして、この場合も、針状部の先端部のみでなく、針状部がその長手方向全域に渡って、下方に向って傾斜していてもよい。
【００８８】
次に、血管切開器具１の使用方法（作用）を説明する。
図５〜図７は、それぞれ、図１に示す血管切開器具１の使用方法（作用）を説明するための模式図である。なお、図５〜図７中、下側を「下端」または「下」、上側を「上端」または「上」として説明する。
【００８９】
血管切開器具１を用いて血管を切開する際は、使用者（操作者）は、必要に応じて、ナット４３を回転操作し、血管の目標の切開長に合わせて、第１の針状部３１の針先３１１と第２の針状部３３の針先３３１との間の最大距離（切開長）を調節する。
【００９０】
この場合、ナット４３を所定方向に回転操作すると、ナット４３が図１中左側に移動し、これにより、第１の針状部３１の針先３１１と第２の針状部３３の針先３３１との間の最大距離が小さくなり、切開長が小さくなる。逆に、ナット４３を前記と逆方向に回転操作すると、ナット４３が図１中右側に移動し、これにより、前記最大距離が大きくなり、切開長が大きくなる。
【００９１】
そして、使用者は、血管切開器具１の一対の柄２１、２２を手指で把持し、図５に示すように、その穿刺切開部材３および第２の針状部３３の下方を血管１００の外壁１１０に押し当てる。
【００９２】
次に、図４に示すように、一対の柄２１、２２を挟むように操作する（押圧する）。これにより、柄２１、２２が撓み、第１の針状部３１の針先３１１と第２の針状部３３の針先３３１とが接近する方向に、穿刺切開部材３（第１の針状部３１、刃部３２）と第２の針状部３３とが移動する。
【００９３】
この際、図６に示すように、第１の針状部３１および第２の針状部３３が、それぞれ血管１００の外壁１１０に穿刺され、血管１００の内腔１２０内において、第１の針状部３１の針先３１１と第２の針状部３３の針先３３１とが接触（または接近）するとともに、図４に示すように、柄２１が当接部４１に当接し、第１の針状部３１と第２の針状部３３とが最も接近した最接近状態に保持される。
【００９４】
以上で、血管１００の切開部および切開長が設定される。すなわち、図６に示す第１の針状部３１による血管１００の穿刺孔１３０と、第２の針状部３３による血管１００の穿刺孔１４０との間が切開部であり、その間の長さが切開長である。
【００９５】
次に、図７に示すように、血管切開器具１を第１の針状部３１の先端側（図７中左側）へ進める。この際、刃部３２が、第１の針状部３１および第２の針状部３３にガイドされて、血管１００の穿刺孔１３０と穿刺孔１４０との間を通過し、その刃部３２の刃３２１で前記穿刺孔１３０と穿刺孔１４０との間の外壁１１０が切開される。
【００９６】
以上で血管１００の切開が終了し、一対の柄２１、２２へ加えている押圧力を弱めると、一対の柄２１、２２は、その弾性力により、下端部同士が離間してゆき、柄２１がナット４３に当接し、これにより、第１の針状部３１と第２の針状部３３とが最も離間した最離間状態になる。
【００９７】
以上説明したように、この血管切開器具１によれば、第１の針状部３１の針先３１１と第２の針状部３３の針先３３１とにより血管の切開長が規制され、血管１００の穿刺孔１３０と穿刺孔１４０との間が切開部となるので、血管を、容易かつ確実に、目標（希望）の長さに切開することができる。
【００９８】
また、血管１００の穿刺孔１３０と穿刺孔１４０との間が切開部となるので、１回の操作で切開を終了することができる。すなわち、血管を迅速に目標の長さに切開することができる。
【００９９】
また、ナット４３を回転操作することで、容易かつ確実に、血管の切開長を調節することができる。
【０１００】
次に、本発明の血管切開器具の第２実施形態について説明する。
図１６は、本発明の血管切開器具の第２実施形態を示す断面図、図１７は、図１６に示す血管切開器具の下端側の側面図である。
【０１０１】
以下、第２実施形態の血管切開器具１について、前述した第１実施形態との相違点を中心に説明し、同様の事項については、その説明を省略する。なお、図１６および図１７中、下側を「下端」または「下」、上側を「上端」または「上」として説明する。
【０１０２】
これらの図に示すように、第２実施形態の血管切開器具１では、第１の針状部３１の基端側および第２の針状部３３の基端側に、それぞれ、血管を切開する刃部３２および３４が設けられている。
【０１０３】
すなわち、柄２１の下端部には、第１の針状部３１と、第１の針状部３１の基端側に設けられた刃部３２とで構成された穿刺切開部材（第１の穿刺切開部材）３が接合されており、柄２２の下端部には、第２の針状部３３と、第２の針状部３３の基端側に設けられた刃部３４とで構成された穿刺切開部材（第２の穿刺切開部材）３が接合されている。刃部３４は、略三角形をなしており、その上側に刃３４１が形成されている。
【０１０４】
この血管切開器具１によれば、前述した第１実施形態の血管切開器具１と同様の効果が得られる。
【０１０５】
そして、この血管切開器具１では、第１の針状部３１および第２の針状部３３のそれぞれに刃部３２および３４が設けられているので、血管切開器具１を、第１の針状部３１の先端側（図１６中左側）と、第２の針状部３３の先端側（図１６中右側）とのいずれの方向へ進めても血管を切開することができる。
【０１０６】
これにより、例えば、血管切開器具１の図１６中の左右方向の一方に障害物があっても、血管切開器具１を他方に進めて血管を切開することができる。
【０１０７】
なお、この第２実施形態でも前述した第１実施形態のように、針状部の構造を、図８〜図１５等に示すような構造にしてもよく、その他、第１実施形態で述べた任意の変形が可能である。
【０１０８】
次に、本発明の血管切開器具の第３実施形態について説明する。
図１８および図１９は、それぞれ、本発明の血管切開器具の第３実施形態を示す断面図である。
【０１０９】
以下、第３実施形態の血管切開器具１について、前述した第１実施形態との相違点を中心に説明し、同様の事項については、その説明を省略する。なお、図１８および図１９中、下側を「下端」または「下」、上側を「上端」または「上」として説明する。
【０１１０】
これらの図に示すように、第３実施形態の血管切開器具１は、筒状をなす長尺物（長尺状）の本体５を有している。
【０１１１】
この本体５の基端側（図１８中右側）には、使用者（操作者）が手指で把持する把持部５１が設けられ、また、本体５の先端側（図１８中左側）には、穿刺切開手段６が設けられている。
【０１１２】
穿刺切開手段６は、本体５に対して固定された支持部材６１と、この支持部材６１に設けられた軸（支点）６３を中心に回動し得る支持部材６２とを有している。支持部材６１の下端部は、支持部材６２の下端部の図１８中左側に位置している。
【０１１３】
これら支持部材６１および６２の構成材料としては、例えば、ステンレス鋼、チタン、鋼、鉄等の各種金属または合金等が挙げられる。
【０１１４】
支持部材６１の下端部には、穿刺切開部材３が接合され、支持部材６２の下端部には、第２の針状部３３が接合されている。
【０１１５】
また、支持部材６１と支持部材６２との間であって、軸６３より下側には、コイルバネ（付勢手段）６４が収縮した状態で設置されており、支持部材６２は、このコイルバネ６４の弾性力（復元力）により、図１８中反時計回りの方向、すなわち、支持部材６１の下端部と支持部材６２の下端部とが離間する方向（第１の針状部３１の針先３１１と第２の針状部３３の針先３３１とが離間する方向）に付勢されている。
【０１１６】
また、支持部材６２の上端部は、本体５の先端部の下側に形成された開口５２から本体５の中空部５３内に挿入されており、支持部材６２の上端部が開口５２の縁部に当接し、これにより、第１の針状部３１と第２の針状部３３とが最も離間した最離間状態に保持されている。
【０１１７】
一方、把持部５１の中空部５１２内には、操作部７１が把持部５１の長手方向（図１８中左右方向）に移動可能に設置されている。この操作部７１の上端部は、把持部５１の上側に形成された開口５１１から上側（上方外側）に突出している。
【０１１８】
この操作部７１の先端側（図１８中左側）と、前記支持部材６２の上端部とは、本体５の中空部５３および把持部５１の中空部５１２に配設されたワイヤ（連結部材）７２で連結されている。
【０１１９】
前記操作部７１およびワイヤ７２で、操作手段が構成される。なお、連結部材は、ワイヤに限定されないことは、言うまでもない。
【０１２０】
図１９に示すように、操作部７１を基端側（図１９中右側）に移動操作すると、ワイヤ７２により、支持部材６２の上端部が基端側（図１９中右側）に引っ張られる。これにより、支持部材６２が図１９中時計回りに回転し、第１の針状部３１の針先３１１と第２の針状部３３の針先３３１とが接近する方向に、第２の針状部３３が移動する。
【０１２１】
操作部７１から指を離すか、または、操作部７１に加えている力を弱めると、図１８に示すように、支持部材６２が、コイルバネ６４の弾性力により、図１８中反時計回りに回転し、支持部材６１と支持部材６２との下端部同士が離間してゆき、支持部材６２の上端部が開口５２の縁部に当接し、これにより、第１の針状部３１と第２の針状部３３とが最も離間した最離間状態になる。
【０１２２】
この血管切開器具１によれば、前述した第１実施形態の血管切開器具１と同様の効果が得られる。
【０１２３】
そして、この血管切開器具１では、穿刺切開手段６を遠隔操作することができるので、血管の切開部の近傍に障害物があっても、その切開部を切開することができる。
【０１２４】
なお、本発明では、支持部材６１が回動し得るようになっていてもよく、また、支持部材６１および６２がそれぞれ回動し得るようになっていてもよい。
【０１２５】
また、この第３実施形態でも前述した第１実施形態のように、針状部の構造を、図８〜図１５等に示すような構造にしてもよく、その他、第１実施形態で述べた任意の変形が可能である。
【０１２６】
次に、本発明の血管切開器具の第４実施形態について説明する。
図２０は、本発明の血管切開器具の第４実施形態であって、その先端側を示す断面図である。
【０１２７】
以下、第４実施形態の血管切開器具１について、前述した第３実施形態との相違点を中心に説明し、同様の事項については、その説明を省略する。なお、図２０中、下側を「下端」または「下」、上側を「上端」または「上」として説明する。
【０１２８】
これらの図に示すように、第４実施形態の血管切開器具１では、支持部６１の支持部６２側であって、軸６３より下側には、当接部（最接近状態規制手段）６１１が設けられている。
【０１２９】
また、本体５の先端（図２０中左側の端部）には、ネジ孔５４が形成されており、そのネジ孔５４に、ネジ５５が螺合している。
【０１３０】
支持部材６２の上端部は、このネジ５５に当接し、これにより、第１の針状部３１と第２の針状部３３とが最も離間した最離間状態に保持されている。
【０１３１】
前記ネジ５５を回転操作すると、そのネジ５５は、図２０中左右方向に移動し、これにより、前記最離間状態が変更され、第１の針状部３１の針先３１１と第２の針状部３３の針先３３１との間の最大距離が変更される。
【０１３２】
この場合、ネジ５５を図２０中右側に移動させると、前記最大距離が小さくなり、切開長が小さくなる。逆に、ネジ５５を図２０中左側に移動させると、前記最大距離が大きくなり、切開長が大きくなる。
【０１３３】
従って、前記ネジ５５により、第１の針状部３１と第２の針状部３３とが最も離間した最離間状態を規制する最離間状態規制手段と、第１の針状部３１の針先３１１と第２の針状部３３の針先３３１との間の最大距離を調節する切開長調節機構とが構成される。
【０１３４】
また、図示しない操作部を基端側（図２０中右側）に移動操作すると、ワイヤ７２により、支持部材６２の上端部が基端側（図２０中右側）に引っ張られる。これにより、支持部材６２が図２０中時計回りに回転し、第１の針状部３１の針先３１１と第２の針状部３３の針先３３１とが接近する方向に、第２の針状部３３が移動する。そして、支持部材６２が当接部６１１に当接し、これにより、第１の針状部３１と第２の針状部３３とが最も接近した最接近状態となる。
【０１３５】
この血管切開器具１によれば、前述した第３実施形態の血管切開器具１と同様の効果が得られる。
【０１３６】
そして、この血管切開器具１では、前記当接部６１１により、第１の針状部３１の針先３１１および第２の針状部３３の針先３３１の破損を防止することができる。
【０１３７】
また、ネジ５５を回転操作することで、容易かつ確実に、血管の切開長を調節することができる。
【０１３８】
なお、この第４実施形態でも前述した第１実施形態のように、針状部の構造を、図８〜図１５等に示すような構造にしてもよく、その他、第１実施形態で述べた任意の変形が可能である。
【０１３９】
次に、本発明の血管切開器具の第５実施形態について説明する。
図２１は、本発明の血管切開器具の第５実施形態を示す断面図である。
【０１４０】
以下、第５実施形態の血管切開器具１について、前述した第３実施形態との相違点を中心に説明し、同様の事項については、その説明を省略する。なお、図２１中、下側を「下端」または「下」、上側を「上端」または「上」として説明する。
【０１４１】
同図に示すように、第５実施形態の血管切開器具１では、第１の針状部３１の基端側および第２の針状部３３の基端側に、それぞれ、血管を切開する刃部３２および３４が設けられている。
【０１４２】
すなわち、支持部材６１の下端部には、第１の針状部３１と、第１の針状部３１の基端側に設けられた刃部３２とで構成された穿刺切開部材（第１の穿刺切開部材）３が接合されており、支持部材６２の下端部には、第２の針状部３３と、第２の針状部３３の基端側に設けられた刃部３４とで構成された穿刺切開部材（第２の穿刺切開部材）３が接合されている。
【０１４３】
この血管切開器具１によれば、前述した第３実施形態の血管切開器具１と同様の効果が得られる。
【０１４４】
そして、この血管切開器具１では、第１の針状部３１および第２の針状部３３のそれぞれに刃部３２および３４が設けられているので、血管切開器具１を、第１の針状部３１の先端側（図２１中右側）と、第２の針状部３３の先端側（図２１中左側）とのいずれの方向へ進めても血管を切開することができる。
【０１４５】
なお、この第５実施形態でも前述した第１実施形態のように、針状部の構造を、図８〜図１５等に示すような構造にしてもよく、その他、第１実施形態で述べた任意の変形が可能である。
【０１４６】
また、前述した第４実施形態のように、当接部６１１やネジ５５を設けるのが好ましい。
【０１４７】
次に、本発明の血管切開器具の第６実施形態について説明する。
図２２は、本発明の血管切開器具の第６実施形態を示す断面図である。
【０１４８】
以下、第６実施形態の血管切開器具１について、前述した第３実施形態との相違点を中心に説明し、同様の事項については、その説明を省略する。なお、図２２中、下側を「下端」または「下」、上側を「上端」または「上」として説明する。
【０１４９】
同図に示すように、第６実施形態の血管切開器具１では、本体５の把持部５１と先端部との間の部分は、変形可能（湾曲または屈曲可能）であり、かつ、その変形した形状を保持し得る構造を有する。図示例では、本体５の把持部５１と先端部との間の部分は、蛇腹状になっている。
【０１５０】
この血管切開器具１によれば、前述した第３実施形態の血管切開器具１と同様の効果が得られる。
【０１５１】
そして、この血管切開器具１では、血管の切開部の近傍に第３実施形態に比べて回避が難しい障害物があっても、本体５を変形させることで、その障害物を回避して切開部を切開することができる。
【０１５２】
なお、この第６実施形態でも前述した第１実施形態のように、針状部の構造を、図８〜図１５等に示すような構造にしてもよく、その他、第１実施形態で述べた任意の変形が可能である。
【０１５３】
また、前述した第４実施形態のように、当接部６１１やネジ５５を設けるのが好ましい。
【０１５４】
次に、本発明の血管切開器具の第７実施形態について説明する。
図２３は、本発明の血管切開器具の第７実施形態を示す断面図である。
【０１５５】
以下、第７実施形態の血管切開器具１について、前述した第６実施形態との相違点を中心に説明し、同様の事項については、その説明を省略する。なお、図２３中、下側を「下端」または「下」、上側を「上端」または「上」として説明する。
【０１５６】
同図に示すように、第７実施形態の血管切開器具１では、第１の針状部３１の基端側および第２の針状部３３の基端側に、それぞれ、血管を切開する刃部３２および３４が設けられている。
【０１５７】
すなわち、支持部材６１の下端部には、第１の針状部３１と、第１の針状部３１の基端側に設けられた刃部３２とで構成された穿刺切開部材（第１の穿刺切開部材）３が接合されており、支持部材６２の下端部には、第２の針状部３３と、第２の針状部３３の基端側に設けられた刃部３４とで構成された穿刺切開部材（第２の穿刺切開部材）３が接合されている。
【０１５８】
この血管切開器具１によれば、前述した第６実施形態の血管切開器具１と同様の効果が得られる。
【０１５９】
そして、この血管切開器具１では、第１の針状部３１および第２の針状部３３のそれぞれに刃部３２および３４が設けられているので、血管切開器具１を、第１の針状部３１の先端側（図２３中右側）と、第２の針状部３３の先端側（図２３中左側）とのいずれの方向へ進めても血管を切開することができる。
【０１６０】
なお、この第７実施形態でも前述した第１実施形態のように、針状部の構造を、図８〜図１５等に示すような構造にしてもよく、その他、第１実施形態で述べた任意の変形が可能である。
【０１６１】
また、前述した第４実施形態のように、当接部６１１やネジ５５を設けるのが好ましい。
【０１６２】
次に、本発明の血管切開器具の第８実施形態について説明する。
図２４は、本発明の血管切開器具の第８実施形態を示す断面図、図２５は、図２４に示す血管切開器具の先端側の断面図である。
【０１６３】
以下、第８実施形態の血管切開器具１について、前述した第６実施形態との相違点を中心に説明し、同様の事項については、その説明を省略する。なお、図２４および図２５中、下側を「下端」または「下」、上側を「上端」または「上」として説明する。
【０１６４】
これらの図に示すように、第８実施形態の血管切開器具１では、穿刺切開手段６は、本体５の先端部５６に対して固定された支持部材６１と、本体５の先端部５６に対し、先端部５６の長手方向（図２４および図２５中左右方向）に移動し得るように設けられた支持部材６２とを有している。支持部材６１は、先端部５６の下側に突設されており、支持部材６２の図２４および図２５中右側に位置している。
【０１６５】
また、支持部材６２の上端部には、スライダ６２１が設けられており、そのスライダ６２１は、先端部５６の中空部５７内に、先端部５６の長手方向に移動可能に設置されている。
【０１６６】
このスライダ６２１の基端側（図２４および図２５中右側）と、操作部７１の先端側（図２４中左側）とは、本体５の中空部５７、５３および把持部５１の中空部５１２に配設されたワイヤ（連結部材）７２で連結されている。
【０１６７】
また、本体５の先端部５６の下側には、開口５２が形成されており、支持部材６２の下端側は、その開口５２から下側（下方外側）に突出している。
【０１６８】
前記支持部材６１の下端部には、穿刺切開部材３が接合され、前記支持部材６２の下端部には、第２の針状部３３が接合されている。
【０１６９】
また、本体５の先端部５６の中空部５７内であって、先端部５６の基端（図２４および図２５中右側の端部）とスライダ６２１との間には、コイルバネ（付勢手段）６５が収縮した状態で設置されており、スライダ６２１および支持部材６２は、このコイルバネ６５の弾性力（復元力）により、先端部５６の先端側（図２４および図２５中左側）、すなわち、支持部材６１と支持部材６２とが離間する方向（第１の針状部３１の針先３１１と第２の針状部３３の針先３３１とが離間する方向）に付勢されている。
【０１７０】
また、支持部材６２の上端部およびスライダ６２１は、先端部５６の先端側（図２４中左側）の内壁（最離間状態規制手段）５８１に当接し、これにより、第１の針状部３１と第２の針状部３３とが最も離間した最離間状態に保持されている。
【０１７１】
操作部７１を基端側（図２４中右側）に移動操作すると、図２５に示すように、ワイヤ７２により、スライダ６２１が基端側（図２５中右側）に引っ張られ、そのスライダ６２１および支持部材６２が基端側に移動する。すなわち、第１の針状部３１の針先３１１と第２の針状部３３の針先３３１とが接近する方向に、第２の針状部３３が移動し、支持部材６２の上端部が、開口５２の基端側の縁部（最接近状態規制手段）５８２に当接し、これにより、第１の針状部３１と第２の針状部３３とが最も接近した最接近状態となる。
【０１７２】
操作部７１から指を離すか、または、操作部７１に加えている力を弱めると、図２４に示すように、スライダ６２１および支持部材６２が、コイルバネ６５の弾性力により、先端側（図２４中左側）に移動し、そのスライダ６２１および支持部材６２の上端部が、先端部５６の先端側の内壁５８１に当接し、これにより、第１の針状部３１と第２の針状部３３とが最も離間した最離間状態になる。
【０１７３】
この血管切開器具１によれば、前述した第６実施形態の血管切開器具１と同様の効果が得られる。
【０１７４】
そして、この血管切開器具１では、スライダ６２１および支持部材６２が先端部５６の長手方向に沿って移動することにより、第１の針状部３１と第２の針状部３３とが離間・接近するようになっているので、より正確かつ確実に、切開長を規制することができる。
【０１７５】
また、この血管切開器具１では、縁部５８２により最離間状態を規制することによって、第１の針状部３１の針先３１１および第２の針状部３３の針先３３１の破損を、より確実に防止することができる。
【０１７６】
なお、本発明では、支持部材６１が移動し得るようになっていてもよく、また、支持部材６１および６２がそれぞれ移動し得るようになっていてもよい。
【０１７７】
また、この第８実施形態でも前述した第１実施形態のように、針状部の構造を、図８〜図１５等に示すような構造にしてもよく、その他、第１実施形態で述べた任意の変形が可能である。
【０１７８】
また、前述した第４実施形態のように、ネジ５５等の最離間状態規制手段や切開長調節機構を設けるのが好ましい。
【０１７９】
次に、本発明の血管切開器具の第９実施形態について説明する。
図２６は、本発明の血管切開器具の第９実施形態を示す断面図である。
【０１８０】
以下、第９実施形態の血管切開器具１について、前述した第８実施形態との相違点を中心に説明し、同様の事項については、その説明を省略する。なお、図２６中、下側を「下端」または「下」、上側を「上端」または「上」として説明する。
【０１８１】
同図に示すように、第９実施形態の血管切開器具１では、第１の針状部３１の基端側および第２の針状部３３の基端側に、それぞれ、血管を切開する刃部３２および３４が設けられている。
【０１８２】
すなわち、支持部材６１の下端部には、第１の針状部３１と、第１の針状部３１の基端側に設けられた刃部３２とで構成された穿刺切開部材（第１の穿刺切開部材）３が接合されており、支持部材６２の下端部には、第２の針状部３３と、第２の針状部３３の基端側に設けられた刃部３４とで構成された穿刺切開部材（第２の穿刺切開部材）３が接合されている。
【０１８３】
この血管切開器具１によれば、前述した第８実施形態の血管切開器具１と同様の効果が得られる。
【０１８４】
そして、この血管切開器具１では、第１の針状部３１および第２の針状部３３のそれぞれに刃部３２および３４が設けられているので、血管切開器具１を、第１の針状部３１の先端側（図２６中左側）と、第２の針状部３３の先端側（図２６中右側）とのいずれの方向へ進めても血管を切開することができる。
【０１８５】
なお、この第９実施形態でも前述した第１実施形態のように、針状部の構造を、図８〜図１５等に示すような構造にしてもよく、その他、第１実施形態で述べた任意の変形が可能である。
【０１８６】
また、前述した第４実施形態のように、ネジ５５等の切開長調節機構（切開長調節機構を有する最離間状態規制手段）を設けるのが好ましい。
【０１８７】
以上、本発明の血管切開器具を、図示の実施形態に基づいて説明したが、本発明はこれに限定されるものではなく、各部の構成は、同様の機能を有する任意の構成のものに置換することができる。
【０１８８】
また、本発明では、前記各実施形態の任意の２以上の構成（特徴）を適宜組み合わせてもよい。
【０１８９】
【発明の効果】
以上説明したように、本発明によれば、第１の針状部の針先と第２の針状部の針先とにより血管の切開長が規制されるので、血管を、容易、迅速かつ確実に、目標（希望）の長さに切開することができる。
【図面の簡単な説明】
【図１】本発明の血管切開器具の第１実施形態を示す断面図である。
【図２】図１に示す血管切開器具の側面図である。
【図３】図１に示す血管切開器具の下側を示す正面図である。
【図４】図１に示す血管切開器具を示す断面図である。
【図５】図１に示す血管切開器具の使用方法（作用）を説明するための模式図である。
【図６】図１に示す血管切開器具の使用方法（作用）を説明するための模式図である。
【図７】図１に示す血管切開器具の使用方法（作用）を説明するための模式図である。
【図８】本発明における針状部の他の構成例を示す断面図である。
【図９】本発明における針状部の他の構成例を示す断面図である。
【図１０】本発明における針状部の他の構成例を示す断面図である。
【図１１】本発明における針状部の他の構成例を示す断面図である。
【図１２】本発明における針状部の他の構成例を示す断面図である。
【図１３】本発明における針状部の他の構成例を示す断面図である。
【図１４】本発明における針状部の他の構成例を示す側面図である。
【図１５】本発明における針状部の他の構成例を示す側面図である。
【図１６】本発明の血管切開器具の第２実施形態を示す断面図である。
【図１７】図１６に示す血管切開器具の下端側の側面図である。
【図１８】本発明の血管切開器具の第３実施形態を示す断面図である。
【図１９】本発明の血管切開器具の第３実施形態を示す断面図である。
【図２０】本発明の血管切開器具の第４実施形態であって、その先端側を示す断面図である。
【図２１】本発明の血管切開器具の第５実施形態を示す断面図である。
【図２２】本発明の血管切開器具の第６実施形態を示す断面図である。
【図２３】本発明の血管切開器具の第７実施形態を示す断面図である。
【図２４】本発明の血管切開器具の第８実施形態を示す断面図である。
【図２５】図２４に示す血管切開器具の先端側の断面図である。
【図２６】本発明の血管切開器具の第９実施形態を示す断面図である。
【符号の説明】
１　　　　　　　血管切開器具
２１、２２　　　柄
２１１　　　　　貫通孔
３　　　　　　　穿刺切開部材
３１　　　　　　第１の針状部
３１１　　　　　針先
３２　　　　　　刃部
３２１　　　　　刃
３３　　　　　　第２の針状部
３３１　　　　　針先
３３２　　　　　溝
３３３　　　　　孔部
３３４　　　　　傾斜面
３４　　　　　　刃部
３４１　　　　　刃
４１　　　　　　当接部
４２　　　　　　ボルト
４３　　　　　　ナット
５　　　　　　　本体
５１　　　　　　把持部
５１１、５２　　開口
５１２　　　　　中空部
５３　　　　　　中空部
５４　　　　　　ネジ孔
５５　　　　　　ネジ
５６　　　　　　先端部
５７　　　　　　中空部
５８１　　　　　内壁
５８２　　　　　縁部
６　　　　　　　穿刺切開手段
６１、６２　　　支持部材
６１１　　　　　当接部
６２１　　　　　スライダ
６３　　　　　　軸
６４、６５　　　コイルバネ
７１　　　　　　操作部
７２　　　　　　ワイヤ
１００　　　　　血管
１１０　　　　　外壁
１２０　　　　　内腔
１３０、１４０　穿刺孔
【図１】
2004057609.tif 000003
【図２】
2004057609.tif 000004
【図３】
2004057609.tif 000005
【図４】
2004057609.tif 000006
【図５】
2004057609.tif 000007
【図６】
2004057609.tif 000008
【図７】
2004057609.tif 000009
【図８】
2004057609.tif 000010
【図９】
2004057609.tif 000011
【図１０】
2004057609.tif 000012
【図１１】
2004057609.tif 000013
【図１２】
2004057609.tif 000014
【図１３】
2004057609.tif 000015
【図１４】
2004057609.tif 000016
【図１５】
2004057609.tif 000017
【図１６】
2004057609.tif 000018
【図１７】
2004057609.tif 000019
【図１８】
2004057609.tif 000020
【図１９】
2004057609.tif 000021
【図２０】
2004057609.tif 000022
【図２１】
2004057609.tif 000023
【図２２】
2004057609.tif 000024
【図２３】
2004057609.tif 000025
【図２４】
2004057609.tif 000026
【図２５】
2004057609.tif 000027
【図２６】
2004057609.tif 000028